(57)【要約】【目的】建物区画内の汚染空気中の臭気ガスや揮発性有機化合物を吸着し分解消臭並びに分解消去し、且湿気の吸湿と放湿による調湿をなし安全で快適且衛生的建物区画を創出する空気の浄化方法及び浄化装置を提供する。【構成】建物区画内の汚染空気を除塵フィルターにより除塵したうえ、透気性及び透湿性を保持する無塗工紙の一側面に、その平均粒径が５０μｍ以下で比表面積が１２０ｍ２／ｇ以上及び塩基置換容量（ｍｅｑ／１００ｇ）が２００ｍｇ以上の人工ゼオライト粉体をその吸着性並びに吸湿性が阻害されぬよう且２５ｇ／ｍ２以上の塗着重量割合で塗着させた消臭調湿紙と、該消臭調湿紙に適宜の形状とピッチ間隔で波形加工を施した波形消臭調湿紙とを接合巻回させて多数の浄化通気孔が形成された消臭調湿セル内を透気せしめて浄化させる空気の浄化方法及び浄化装置。【選択図】  図１
2004243055.tif 000002
【特許請求の範囲】
【請求項１】
建物区画内の空気を除塵フィルターからなる除塵部で除塵させたうえ、透気性及び透湿性を有する無塗工紙の一側面に、平均粒径が５０μｍ以下で比表面積が１２０ｍ２／ｇ以上並びに塩基置換容量（ｍｅｑ／１００ｇ）が２００ｍｇ以上の人工ゼオライト粉体を、その吸着性及び吸湿性が保持され且少なくとも２５ｇ／ｍ２以上の塗着重量割合で塗着させた消臭調湿紙、及び該消臭調湿紙に適宜の形状とピッチ間隔の波形加工を施した波形消臭調湿紙とを接合巻回させて、多数の浄化通風孔が形成された消臭調湿セルにより浄化部が構成され、且該消臭調湿セルの浄化通風孔内を通風させて以って臭気ガス並びに揮発性有機化合物の吸着と分解消臭並びに分解消去をなし、而も多湿時の吸湿と乾燥時の放湿をならしめることを特徴とする空気の浄化方法。
【請求項２】
消臭調湿紙が、人工ゼオライト粉体に繊維素を担持させたうえ、人工ゼオライト粉体が少なくとも２５ｇ／ｍ２以上の配合重量割合となるよう抄紙されてなる請求項１記載の空気の浄化方法。
【請求項３】
上端が閉塞された中空円形若しくは角形状で、その上端近傍の適宜位置には送風口及び下端近傍の適宜位置には吸気口が設けられた収納体、並びに該収納体下端に嵌入しえる嵌入凸縁が形成され収納体を安定載置させる支持体とからなるケーシングと、吸気口の外面若しくは内面には適宜素材と且適宜除塵密度からなる除塵フィルターが装脱自在に装着しえるよう形成された除塵フィルター装着ポケットと、支持体の嵌入凸縁内に固定され且収納体が嵌入された場合に、吸気口とその一側開口縁が接合しえ而も他側には所要の送風量で送風しえる送風ファンが設けられ、且送風ファンの上端には消臭調湿セルを装着させる装着縁が形成されてなる送風ダクトと、該送風ダクトの装着縁に装着される消臭調湿セルとにより構成される空気の浄化装置。
【請求項４】
消臭調湿セルが消臭調湿紙と該消臭調湿紙に適宜形状とピッチ間隔で波形加工を施してなる波形消臭調湿紙とを接合巻回して形成されてなる請求項３記載の空気の浄化装置。
【請求項５】
消臭調湿セルが、消臭調湿紙と波形消臭調湿紙とが一体的に接着され且巻回形成される請求項３記載の空気の浄化装置。
【請求項６】
消臭調湿セルが剛性を有する粗目の織物若しくは編物からなる保形ネット材に、波形消臭調湿紙が接合巻回されて形成された請求項３記載の空気の浄化装置。
【発明の詳細な説明】
【０００１】
【産業上の利用分野】
本発明は店舗や事務所、ホテルや旅館或いは住居等、密閉性の高い建物区画内において利用者や生活者或いは搬入される商品等から発散される臭気や、内装材や備品、家具等から揮散する揮発性有機化合物、或いは湿気、塵埃等により汚染された空気を浄化しえる、空気の浄化方法及び浄化装置に関する。
【０００２】
【従来技術】
近年における都市部では土地の有効利用のための高層化建物が積極的に建設され、一つの建物内に多数の店舗がテナント入居し更には区分所有される住居も混在する所謂集合店舗や雑居ビル化が主流となりつつある。
そしてかかる集合店舗化や雑居ビル化は、その個別テナントにおいては魚介類を初め精肉、葱菜等商品自体に臭気を発生するものや、食堂やレストランの如き調理臭を発散させるもの、或いは美容院やエステサロン等からは整髪料やシャンプー等の臭気が発散され、これら臭気が他のテナント商品に付着し若しくは利用者に不快感を与える結果となっている。
【０００３】
更に今日の建物は密閉性が高まっていることから、ホテルや旅館においては利用者の体臭や、或いは住居に至っては生活者の体臭に加え、調理場や浴室の臭気或いはペット類の臭気等が混交して特異な生活臭気となって籠るばかりか、密閉性の高まりにより結露も発生し易くなり、黴や細菌の繁殖により特有の臭気の発生ばかりか、ダニ等の衛生害虫の蝟集も招来されること等により著しく不快且非衛生的空間となっている。
【０００４】
加えて建物空間内には各種の建装材や塗料或いは建装材の施工のための接着剤が多用され、且什器や備品或いは家具や調度品に至るまで各種の化学塗材が使用されてなり、これらから滲出揮散する揮発性有機化合物が該建物空間内に滞留し、これにより数多の疫病が惹起される所謂シックハウス症候群の原因たることも究明されるに至っており、現状建物空間内は極めて危険な状態におかれている等著しく汚染された状態にある。
【０００５】
かかる問題への対処として、高電場を用いて塵埃の帯電集塵と且オゾン若しくはマイナスイオンを発生せしめて空気の浄化を図る所謂空気清浄機なるものが開発上市されているが、該高電場による空気清浄化手段においては、空気中の塵埃の帯電集塵性は十分になされるものの、オゾン発生による臭気ガスの分解消臭或いは揮発性有機化合物の分解消去のためには高濃度のオゾンを建物区画内全体に亘って拡散させねばならず、これがためには拡散に伴う希薄化を考慮すると極めて高濃度のオゾン生成が必要となり、却って身体への危険性が高く且特有のオゾン臭の発生とも相俟って実用上その使用が不能となる。
【０００６】
更にマイナスイオンの発生による手段においても、建物区画内に拡散滞留する臭気ガスや揮発性有機化合物の分解消臭や分解消去に際しては、少なくともそのマイナスイオン濃度において５０万個／ｃｃ以上の高濃度マイナスイオンが必要とされており、オゾンと同様に広大な建物区画内への拡散希薄化を考慮すると、マイナスイオンの生成源においては略１０乃至２０倍以上の高濃度マイナスイオンが要請され、且マイナスイオンの分解消臭若しくは分解消去能は生成後数秒間程度とされるため、広大な建物区画内に拡散させ而も臭気ガスや揮発性有機化合物を分解消臭若しくは分解消去を図るものは開発されておらず、加えて建物区画内の多湿化に対しては何等対処できず別途に除湿装置を配備せねばならない。
【０００７】
発明者はかかる状況に鑑み研究を重ねた結果、近年に至り石炭燃焼灰や鋳造廃砂等、その残留主成分か酸化珪素並びに酸化アルミニウムからなる産業廃棄物を原料とし、アルカリ前処理と且高温高圧処理を施すことにより触媒作用を保持し且比表面積所謂吸着吸湿容量が大きく、而も吸着された臭気ガスや揮発性有機化合物の分解消臭或いは分解消去に係る塩基置換容量（ｍｅｑ／１００ｇ）も極めて大きな人工ゼオライト粉体が安価に生産できるに至った。
そこで発明者は汚染された空気を予め除塵のうえ該人工ゼオライト粉体と接触通風せしめて臭気ガスや揮発性有機化合物を積極的且効率的に吸着させることにより分解消臭並びに分解消去がなしえ、且調湿性も発揮されて安全で快適且衛生的建物区画を創出させるための空気の浄化が図れることを究明し本発明に至った。
【０００８】
【発明が解決しようとする課題】
即ち本発明は建物区画内の汚染空気中の臭気ガスや揮発性有機化合物を吸着して分解消臭並びに分解消去し、且湿気の吸湿保水と放湿をなす調湿により安全で快適且衛生的建物区画を創出しえる空気の浄化方法及び浄化装置を提供することにある。
【０００９】
【課題を解決するための手段】
上述の課題を解決するために本発明が用いた技術的手段は、建物区画内に拡散滞留する臭気ガスや揮発性有機化合物、湿気及び塵埃等を含む汚染空気を、所要の除塵密度を有する除塵フィルターからなる除塵部を通気させて除塵させたうえ、透気性及び透湿性を有する無塗工紙の一側面に、その平均粒径が５０μｍ以下で比表面積が少なくとも１２０ｍ２／ｇ以上並びに塩基置換容量（ｍｅｑ／１００ｇ）が２００ｍｇ以上の人工ゼオライト粉体を、その吸着性及び吸湿性が阻害されぬよう且少なくとも２５ｇ／ｍ２以上の塗着重量割合で塗着させた消臭調湿紙、及び該消臭調湿紙に適宜の形状とピッチ間隔を以って波形加工を施した波形消臭調湿紙とを接合巻回させて、扁平状の消臭調湿紙と波形消臭調湿紙とにより多数の浄化通風孔を形成させた消臭調湿セルにより浄化部を構成する。
【００１０】
そして該浄化部を構成する消臭調湿セルに形成された多数の浄化通風孔内を通風せしめて臭気ガス並びに揮発性有機化合物を積極的且効率良く吸着させるとともに、その保持する触媒作用及び強い塩基置換性とにより、分解消臭及び分解消去をなし且長期に亘って消臭並びに消去性を維持させ、更には該浄化部の消臭調湿セルの浄化通風孔を消臭調湿紙で形成させることにより、該浄化通風孔を通風させる空気中の湿気を吸湿保水させ、而も乾燥時に放湿させる調湿機能を発揮させ、以って建物区画内を安全で快適且衛生的となす空気の浄化方法に存するものであり、更には消臭調湿紙が人工ゼオライト粉体に繊維素を担持させたうえ人工ゼオライト粉体が少なくとも２５ｇ／ｍ２以上の配合重量割合となるように抄紙させてなる構成に存する。
【００１１】
加えてかかる空気の浄化方法を用いた浄化装置として、上端が閉塞された中空円形若しくは角形状で、その上端近傍の適宜位置には浄化された空気を建物区画内に送風させるための送風口が、更に下端近傍の適宜位置には建物区画内の汚染された空気を吸気し浄化を図るための吸気口が設けられた収納体、並びに該収納体下端に嵌入しえる嵌入凸縁が形成され且嵌入により収納体を安定載置させる支持体とにより構成されるケーシングと、収納体の吸気口の外面若しくは内面に適宜の素材と除塵密度により形成された除塵フィルターが装脱自在に装着しえるよう構成された除塵フィルター装着ポケットと、支持体の嵌入凸縁内に固定され且収納体が嵌入された場合に、収納体に形成された吸気口とその一側開口縁が接合でき而もその他側には、所要の送風量で送風しえる送風ファンが設けられ、且この送風ファンの上端には消臭調湿セルを装脱自在に装着しえる装着縁が形成された送風ダクトと、該装着縁に装着される消臭調湿セルとにより構成される空気の浄化装置に存する。
【００１２】
更に装着される消臭調湿セルが、扁平状の消臭調湿紙と該消臭調湿紙に適宜形状とピッチ間隔で波形加工を施してなる波形消臭調湿紙とを接合巻回することにより、扁平状の消臭調湿紙の接合面と波形消臭調湿紙の波形接合面とにより多数の浄化通風孔を形成させてなる構成、或いは消臭調湿セルが消臭調湿紙の扁平状の表面と波形消臭調湿紙の波形凸部とが一体的に接着され且巻回形成された構成、及び剛性を有する粗目の織物若しくは編物からなる保形ネット材に、波形消臭調湿紙が接合巻回された構成からなる。
【００１３】
【作用】
本発明は上述の如き構成からなるため以下のような作用を有する。即ち建物区画内に揮散滞留し、各種臭気ガスや揮発性有機化合物或いは湿気や塵埃等が混在した汚染空気を、適宜の素材で且除塵密度を有する除塵フィルターからなる除塵部を通気させるため汚染空気中の塵埃が先づ除塵される。そしてこの除塵された汚染空気を、透気性と透湿性を有する無塗工紙の一側面にその平均粒径が５０μｍ以下の接触表面積率が極めて大きく、且その比表面積が少なくとも１２０ｍ２／ｇ以上と吸着吸湿容量が大きく、而も本質的に保持する触媒作用に加えてその塩基置換容量（ｍｅｑ／１００ｇ）が２００ｍｇ以上の強い塩基置換性を保持する人工ゼオライト粉体が、該人工ゼオライト粉体の吸着性や吸湿性を阻害されぬよう且その絶対吸着容量並びに吸湿容量を膨大容量に形成するため、少なくとも２５ｇ／ｍ２以上の塗着重量割合で塗着させて消臭調湿紙が形成されている。
【００１４】
更に該消臭調湿紙と且該消臭調湿紙に適宜の形状とピッチ間隔で波形加工を施してなる波形消臭調湿紙とを接合巻回させることにより形成させた消臭調湿セルの浄化通風孔内を通風させるため、通風される空気中の各種臭気ガスや揮発性有機化合物が、その大きな接触表面積率と且膨大な吸着容量の人工ゼオライト粉体に積極的且効率良く吸着されるとともに、吸着された各種臭気ガスや揮発性有機化合物は、触媒作用と且強い塩基置換性により容易に分解消臭並びに分解消去され、而も吸着飽和がなされぬことから長期に亘って吸着性と且分解消臭性や分解消去性が維持される。
【００１５】
加えて通風される空気中の湿気も、浄化通風孔が形成される消臭調湿セルが、透気性と透湿性を有する無塗工紙の一側面に人工ゼオライト粉体がその吸着性や吸湿性を阻害されぬよう塗着された消臭調湿紙、若しくは人工ゼオライト粉体が配合抄紙された消臭調湿紙が用いられてなるため、積極的且効率良く吸湿されるとともに水分が人工ゼオライト粉体内に保水され、且乾燥状態に従って放湿される調湿作用が働くため略一定の湿度に建物区画内が保持される。
【００１６】
【実施例】
以下に本発明実施例を図とともに説明すれば、図１は本発明空気の浄化方法の原理図であって、本発明は密閉性の高い建物区画内に揮散滞留及び浮遊する各種の臭気ガスを初め、揮発性有機化合物や湿気或いは塵埃等により汚染された空気を浄化し、安全で快適且衛生的な建物区画となすための空気の浄化方法に係るもので、これがためには前段において汚染空気中の粒径の粗い塵埃を除塵する必要上から、除塵部において除塵フィルター１Ａを通風させることにより除塵が図られる。
【００１７】
この除塵部１の除塵フィルター１Ａは汚染空気中に浮遊混在する塵埃を除塵できるものであれば、特段の制約はないが当然に除塵密度が高くなれば微粒状の塵埃まで除塵されるが、反面負圧が増大し且頻繁な防塵フィルター１Ａの交換が要請される結果ともなるため、具体的な除塵密度は建物区画内の汚染状況や区画スペース及び送風量等を勘案して決定される。
加えて除塵状況によって頻繁な交換がなされる場合には安価なものが望まれるため、一般的には不織布や連続気泡によるウレタンシート状物が好適であるが、より好ましくは廃棄面より腐蝕性や水溶崩壊の容易な素材が望ましく、具体的には麻や綿等の天然繊維素材やレーヨン或いは紙等の素材で形成させたものが挙げられる。
【００１８】
除塵部１において除塵がなされた汚染空気は、浄化部２を構成する消臭調湿セル２Ａに形成された多数の浄化通風孔２Ｂ内を接触通風させることにより、汚染空気中の各種の臭気ガスや揮発性有機化合物を積極的且効率的に吸着させ、更には湿気を吸湿させるうえから、接触面積が大きく而も膨大な吸着容量並びに吸湿容量が要請される。
【００１９】
これがためには該消臭調湿セル２Ａを形成する消臭調湿紙２０には人工ゼオライト粉体２Ｃが使用されてなるもので、該人工ゼオライト粉体２Ｃはその接触表面積率の大きなものを使用して積極的な吸着、吸湿をなさしめるうえから、平均粒径が５０μｍ以下望ましくは１０乃至３０μｍのものが選択され、更に十分に大きな吸着吸湿容量のものが望まれるため、その比表面積において少なくとも１２０ｍ２／ｇ以上好ましくは１６０乃至１８０ｍ２／ｇのものが好適で、而も吸着された臭気ガス並びに揮発性有機化合物を、その触媒作用と且強い塩基置換性を以って即時に分解消臭及び分解消去せしめるとともに吸着飽和を無くし長期に亘って吸着性を保持させる必要上から、その塩基置換容量（ｍｅｑ／１００ｇ）が２００ｍｇ以上の人工ゼオライト粉体２Ｃが選択使用される。
【００２０】
そしてかかる人工ゼオライト粉体２Ｃは、その吸着性や吸湿性が阻害されぬように、且透気性と透湿性を有する無塗工紙２Ｄの一側面に塗着材２Ｅを以って、而も通風される空気中の臭気ガスや揮発性有機化合物、或いは湿気を効率良く吸着させて分解消臭及び分解消去し、或いは吸湿せしめるうえから絶対吸着容量及び絶対吸湿容量を膨大容量に形成させておく必要上、少なくとも２５ｇ／ｍ２以上の塗着重量割合で塗着させて消臭調湿紙２０が形成されている。
【００２１】
無塗工紙２Ｄの一側面に人工ゼオライト粉体２Ｃの吸着性や吸湿性を阻害させることなく塗着させるための塗着手段としては多様のものが提案されるが、具体的な手段を挙げればセルロース誘導体やカゼイン、ゼラチン、澱粉等の水溶性で且塗着乾燥時に透気性や透湿性を保持する塗着材２Ｅを用い、該塗着材２Ｅが略７乃至２０％重量割合、人工ゼオライト粉体２Ｃが略２５乃至４５％重量割合及び水が略４５乃至７０％重量割合で混合させた水溶液となし、ロールコーターの如き塗着機で所要の塗着重量割合に塗着させたうえ、乾燥工程において加熱せしめて水分を蒸散させることにより、蒸散孔を多数形成させることでも良い。
【００２２】
而して消臭調湿セル２Ａには多数の浄化通風孔２Ｂを形成のうえ、該浄化通風孔２Ｂ内に臭気ガスや揮発性有機化合物或いは湿気を含む汚染空気を通風せしめて浄化を図るものであるから、該消臭調湿セル２Ａの形成には吸着吸湿性に優れた消臭調湿紙２０を用い多数の浄化通風孔２Ｂの形成が不可欠となる。
【００２３】
これがため本発明には新規な技術が駆使されてなるもので、吸着吸湿性に優れた消臭調湿紙２０は全体的に扁平状のものである。そこで該消臭調湿紙２０の表面及び裏面に亘って円孤状や三角状或いはコ型状等適宜の形状とピッチ間隔を以って波形加工２１Ａを施してなる波形消臭紙２１とを用いて形成するもので、図２に示すように所要の幅及び長さに裁断された消臭調湿紙２０の表側若しくは裏側に、該消臭調湿紙２０と同じ幅及び長さに裁断された波形消臭調湿紙２１を接合のうえ相互を巻回させることにより消臭調湿紙２０の扁平面と、波形消臭調湿紙２１の波形加工２１Ａによる波形凸部２２Ａ及び波形凹部２２Ｂとの接合空隙に伴う多数の浄化通風孔２Ｂが形成される。
【００２４】
そして多量の浄化を図る場合には消臭調湿セル２Ａの浄化通風孔２Ｂの総通風断面積を大きく形成させる必要があるが、かかる場合に浄化通風孔２Ｂの孔径をあまり大きくすると、通風接触による吸着性や吸湿性が低下する傾向を示すため、望ましくは浄化通風孔２Ｂの１つの断面積としてはせいぜい１０乃至１００ｍｍ２程度とすべきである。
加えて浄化通風孔２Ｂの長さ、即ち消臭調湿セル２Ａの長さは特段に制約はなく、通風される汚染空気が略０．５乃至１．５秒以上の時間で接触通風される長さであれば十分である。
【００２５】
浄化部２の消臭調湿セル２Ａを形成する消臭調湿紙２０は、かかる無塗工紙２Ｄの一側面に人工ゼオライト粉体２Ｃを塗着材２Ｅで塗着形成させたもののほか、人工ゼオライト粉体２Ｃに麻や綿、パルプ等の繊維素を予め担持させたうえ、人工ゼオライト粉体２Ｃが実質的に２５ｇ／ｍ２以上の配合割合を以って抄紙した消臭調湿紙２０Ａでも使用できる。
かくして浄化部２の消臭調湿セル２Ａに形成された浄化通風孔２Ｂ内を接触通風させることにより、臭気ガスや揮発性有機化合物が吸着され且分解消臭並びに分解消去され或いは吸湿されて浄化され、この浄化された空気を建物区画内に再送気させる空気の浄化方法に存する。
【００２６】
人工ゼオライト粉体２Ｃが配合されて抄紙される消臭調湿紙２０Ａの生産手段としては、相互に絡合して抄紙しえる麻、綿、パルプ等の繊維素と人工ゼオライト粉体２Ｃとを所要重量割合で水とともに混合させて、人工ゼオライト粉体２Ｃの保持する負電荷により繊維素を担持させ、若しくは硫酸アルミニウムの如き凝集剤の添加により繊維素を凝集担持させて絡合性を高めたうえ抄紙よることによりなしえる。
【００２７】
図３は本発明空気の浄化方法を用いた浄化装置の内部説明図であって、建物区画内の汚染された空気の浄化には、該図３の如き空気の浄化装置３が提案される。
この空気の浄化装置３は上端が閉塞された中空円形状若しくは中空角形状で、その上端近傍の適宜位置には浄化された空気を送風させるための送風口３１Ａが設けられ、且下端近傍の適宜位置には建物区画内に拡散滞留されてなる汚染された空気を吸気させるための吸気口３１Ｂが設けられて収納体３１を形成しており、更には該収納体３１の下端に嵌入できるような嵌入凸縁３２Ａが設けられ、且収納体３１と嵌入されることにより収納体３１を安定して載置しえる支持体３２とによりケーシング３３が構成されている。そしてこのケーシング３３は本発明が特段に加熱手段等を用いるものではないから、使用素材としては金属板材やプラスチック素材等適宜の素材で形成すれば良い。
【００２８】
そして汚染された空気を浄化するに際しては、汚染された空気中に浮遊混在する比較的粒径の大きな塵埃を予め除塵しておくことが、臭気ガスや揮発性有機化合物の吸着と分解消臭及び分解消去若しくは湿気の吸湿に好都合であることから、収納体３１の下端近傍に設けられた吸気口３１Ｂの外面若しくは内面には、適宜素材及び除塵密度で形成される除塵フィルター１Ａを装脱自在に装着させるための除塵フィルター装着ポケット３１Ｃが該収納体３１と一体的に成形されている。
当然に該除塵フィルター装着ポケット３１Ｃに除塵フィルター１Ａが装着されることにより、建物区画内の汚染された空気は該除塵フィルター１Ａを通って吸気されるため、汚染空気中の塵埃が除塵されることとなる。
【００２９】
他方ケーシング３３内には図４に示す如く、該吸気された汚染空気を漏出させることなく送風ファン３４に誘導せしめて所要の送風量を以ってその上部に装着される消臭調湿セル２Ａの浄化通風孔２Ｂ内を通風させて浄化を図るため、その下端が支持体３２の嵌入凸縁３２Ａ内に固定されてなるとともに、その一側開口縁３５Ａが収納体３１と支持体３２が嵌入された場合に、吸気口３１Ｂと接合しえ且送風ファン３４の上部には消臭調湿セル２Ａを装脱自在に装着しえる装着縁３５Ｂを有する送風ダクト３５が設けられている。
この送風ダクト３５も本発明においては特別に高温度を使用するものではないから、金属板材により加工し若しくは合成樹脂素材で成形させたものが使用される。
【００３０】
送風ダクト３５内に配設される送風ファン３４は特段の制約はなく、所要送風量を以って消臭調湿セル２Ａの浄化通風孔２Ｂ内を通風しえる送風能力を有するものであれば差支えない。
送風ファン３４の送風量は使用される建物区画の広さや臭気や揮発性有機化合物の発生度合或いは湿気若しくは塵埃等による汚染度合によっても異なるが、建物区画の広さが６畳乃至１０畳相当では略１０乃至２０ｌ／ｍｉｎ程度の送風能力が望まれる。
【００３１】
かくして送風ファン３４が設けられた送風ダクト３５の上部に形成されてなる装着縁３５Ｂには送風される空気中に混在する臭気ガスや揮発性有機化合物を吸着し分解消臭並びに分解消去、及び吸湿をなし浄化させるための消臭調湿セル２Ａが装着される。
この消臭調湿セル２Ａは、前述したように且図５に示すように透気性及び透湿性を有する無塗工紙２Ｄの一側面に、所要の人工ゼオライト粉体２Ｃを塗着材２Ｅを以って該人工ゼオライト粉体２Ｃが２５ｇ／ｍ２以上の塗着重量割合で塗着形成させた消臭調湿紙２０若しくは人工ゼオライト粉体２Ｃに繊維素を担持させ、且人工ゼオライト粉体２Ｃが実質的に２５ｇ／ｍ２以上の配合割合で配合抄紙させた消臭調湿紙２０Ａと、該消臭調湿紙２０若しくは２０Ａに適宜の形状とピッチ間隔で波形加工２１Ａを施した波形消臭調湿紙２１とを用い、扁平状の消臭調湿紙２０若しくは２０Ａに波形消臭調湿紙２１を接合させて巻回させることにより、波形凸部２２Ａ及び波形凹部２２Ｂによる浄化通風孔２Ｂを多数形成させてなるもので、その巻回端縁２Ｆは適宜の接着材等で固定されている。
【００３２】
消臭調湿セル２Ａは前述した構成に加えて図６のＡに示すように、扁平状に形成された消臭調湿紙２０若しくは２０Ａに波形消臭調湿紙２１を接合のうえ、その波形凸部２２Ａを一体的に接着２２Ｃさせたうえ巻回させたものも利用できる。
更に消臭調湿セル２Ａは図６のＢに示すように、剛性を有する粗目のネット材２０Ｂに波形消臭調湿紙２１を接合のうえ巻回させたものでも使用できる。
【００３３】
かかる如くして形成された消臭調湿セル２Ａは、送風ダクト３５の上部に形成された装着縁３５Ｂに装着されて使用されるもので、該消臭調湿セル２Ａの変換にはケーシング３３の支持体３２より収納体３１を脱離させたうえ、使用済の消臭調湿セル２Ａを除去し、新しい消臭調湿セル２Ａを装着させることで簡便になしえる。
【００３４】
【発明の効果】
本発明は以上述べたように各種臭気ガスや揮発性有機化合物、湿気或いは塵埃等により汚染された建物区画内の汚染空気を、除塵部の除塵フィルターを通して吸気させることにより、汚染空気中に浮遊混在する塵埃が除塵される。そして除塵された汚染空気を所要の送風量を以って透気性と透湿性を有する無塗工紙の一側面に、その平均粒径が５０μｍ以下で且比表面積が１２０ｍ２／ｇ以上並びに塩基置換容量（ｍｅｑ／１００ｇ）が２００ｍｇ以上の人工ゼオライト粉体が、その吸着性及び吸湿性が阻害されぬよう且少なくとも２５ｇ／ｍ２以上の塗着重量割合で塗着された消臭調湿紙、或いは人工ゼオライト粉体に繊維素を担持させたうえ、人工ゼオライト粉体が実質的に２５ｇ／ｍ２以上の配合重量割合で配合抄紙してなる消臭調湿紙を用い、これら扁平状の消臭調湿紙と且該消臭調湿紙に適宜の形状及びピッチ間隔で波形加工を施した波形消臭調湿紙とを接合して巻回し消臭調湿セルが形成されるため、波形消臭調湿紙の波形凸部及び波形凹部により多数の浄化通風孔が形成され、而も該浄化通風孔内を汚染空気が通風されるため汚染空気中の臭気ガスや揮発性有機化合物が接触表面積率が大きく且膨大な吸着容量を有する人工ゼオライト粉体に積極的に而も効率良く吸着されるとともに、該吸着された臭気ガスや揮発性有機化合物が触媒作用と且強い塩基置換性により分解消臭及び分解消去がなされるとともに吸着飽和がなされぬため、長期に亘って吸着と分解消臭及び分解消去が維持される。
【００３５】
加えて汚染空気中の過剰湿気に対しても大きな接触表面積率と膨大な吸着容量により積極的且効率的に吸湿されるとともに保水され、而も乾燥状態に伴って保水された水分が放湿されるため、略一定の湿度に調湿される等汚染空気が確実に浄化されて建物区画内に送風されるため、結露の抑制と黴や細菌の繁殖も防止されて、安全で快適且衛生的建物区画が創出しえる等極めて優れた特長を具備する空気の浄化方法及び浄化装置である。
【図面の簡単な説明】
【図１】本発明空気の浄化方法の原理図である。
【図２】消臭調湿セルの断面説明図である。
【図３】本発明空気の浄化装置の内部説明図である。
【図４】送風ダクトの説明図である。
【図５】消臭調湿セルの説明図である。
【図６】浄化通風孔の形成方法説明図である。
【図７】本発明空気の浄化装置の見取図である。
【符号の説明】
１    除塵部
１Ａ  除塵フィルター
２    浄化部
２Ａ  消臭調湿セル
２Ｂ  浄化通風孔
２Ｃ  人工ゼオライト粉体
２Ｄ  無塗工紙
２Ｅ  塗着材
２Ｆ  巻回端縁
２０    消臭調湿紙
２０Ａ  配合抄紙された消臭調湿紙
２０Ｂ  保形ネット材
２１    波形消臭調湿紙
２１Ａ  波形加工
２２Ａ  波形凸部
２２Ｂ  波形凹部
２２Ｃ  接着
３    空気の浄化装置
３１    収納体
３１Ａ  送風口
３１Ｂ  吸気口
３１Ｃ  除塵フィルター装着ポケット
３２    支持体
３２Ａ  嵌入凸縁
３３    ケーシング
３４    送風ファン
３５    送風ダクト
３５Ａ  送風ダクト開口縁
３５Ｂ  装着縁
【図１】
2004243055.tif 000003
【図２】
2004243055.tif 000004
【図３】
2004243055.tif 000005
【図４】
2004243055.tif 000006
【図５】
2004243055.tif 000007
【図６】
2004243055.tif 000008
【図７】
2004243055.tif 000009